(57)【要約】【課題】設定、受信状態、映像音声を伝送装置の操作パネル画面に表示する。【解決手段】映像、音声、データなどの信号を構成単位期間で構成されているデジタル変調方式で変調して無線伝送するシステムの送信装置は、設定情報検出手段と状態情報検出手段と温度検出手段と画像発生手段と画像表示手段とを有し、上記映像と上記音声と上記設定情報と状態情報と伝送装置内温度との少なくとも二つを上記画像発生手段で画像化し重畳し、上記画像表示手段に画像表示し、受信装置は受信状態情報作成手段と設定情報検出手段と状態情報検出手段と温度検出手段と画像発生手段と画像表示手段とを有し、上記受信状態情報を上記画像発生手段で画像化し、上記映像と上記音声と上記設定情報と状態情報と伝送装置内温度との少なくとも一つを上記画像発生手段で画像化し上記受信状態情報と重畳し、上記画像表示手段に画像表示する【選択図】図１
2010124108.tif 000002
【特許請求の範囲】
【請求項１】
映像、音声、データなどの信号を構成単位期間で構成されているデジタル変調方式で変調して無線伝送するシステムの伝送装置において、設定情報検出手段と状態情報検出手段と温度検出手段と画像発生手段と画像表示手段とを有し、上記映像と上記音声と上記設定情報と状態情報と伝送装置内温度との少なくとも二つを上記画像発生手段で画像化し重畳し、上記画像表示手段に画像表示することを特徴とする伝送装置。
【請求項２】
映像、音声、データなどの信号を構成単位期間で構成されているデジタル変調方式で変調して無線伝送するシステムの伝送装置において、受信状態情報作成手段と設定情報検出手段と状態情報検出手段と温度検出手段と画像発生手段と画像表示手段とを有し、上記受信状態情報を上記画像発生手段で画像化し、上記映像と上記音声と上記設定情報と状態情報と伝送装置内温度との少なくとも一つを上記画像発生手段で画像化し上記受信状態情報と重畳し、上記画像表示手段に画像表示することを特徴とする伝送装置。
【発明の詳細な説明】
【技術分野】
【０００１】
本発明は、構成単位期間で構成されているデジタル変調方式で変調された映像信号または音声信号またはデータを伝送する伝送システムの伝送装置に関する。
【背景技術】
【０００２】
近年、直交周波数分割多重(Orthogonal Frequency Division Multiplexing：ＯＦＤＭ)変調方式（以下ＯＦＤＭ方式と称す）と位相振幅変調（Quadrature Amplitude Modulation）方式（以下ＱＡＭ方式と称す）が地上デジタル放送などに採用されている。地上デジタル放送の変調信号は、構成単位期間で構成されている。
【０００３】
ガード期間を含んだＯＦＤＭ信号を伝送する伝送装置の受信装置において、受信した上記ＯＦＤＭ信号のガード期間における相関演算を行い、当該相関演算の結果得られるガード相関信号に基づき受信アンテナの方向調整用信号を生成し、Ｃ／Ｎが約０ｄＢ以下になる受信アンテナの方向調整の初期段階でも、受信信号のレベルを検出し、受信アンテナの方向調整を行っている（特許文献１参照）。
【０００４】
映像信号を送信する送信装置と、送信された信号を受信アンテナで受信する受信装置と、受信アンテナの受信方向をリモートコントロールする制御装置とを有するＦＰＵリモコンシステムにおいて、制御装置が備える画面上に、受信アンテナの垂直角度線と受信アンテナの水平角度に該当する縦断面を表示し且つ受信アンテナの受信方向を変えたとき変えた受信方向に対応する受信アンテナの水平角度に該当する縦断面図を表示し、方向調整を行いながら電波伝搬遮蔽地帯を簡単に確認可能なＦＰＵリモコンシステムにおける受信アンテナの受信方向表示方法することは行われていた（特許文献２参照）。
【０００５】
また、ＨＤ−ＳＤＩ（Ｈigh Difinision−Ｓerial  Digital Interface）信号とはＳＭＰＴＥ２９２Ｍ勧告で定められたシリアルデジタル映像信号規格であり、AES3-1992信号通称AES/EBU （Audio Engineering Society / European Broadcasting Union）信号は、ARIB BTA S-006でＡＥＳが規定した業務用2チャネルデジタル音声インタフェースをＨＤ映像の帰線期間を利用した補助信号領域で伝送する基本的な多重条件が統一されている。ＡＥＳ音声は1つのＡＥＳディジタルストリームを構成する全データで、音声データと付加データとからなる。
【０００６】
テレビ放送においては、ニュース報道やマラソン中継など中継現場から放送局にテレビジョン信号を伝送するために、ＦＰＵ（Field Pickup Unit）と呼ばれる可搬型の中継装置やＴＳＬ（Transmitter Studio Link）と呼ばれる伝送装置が用いられる。ＦＰＵからの信号は山頂等に設置されているＦＰＵ基地局で受信され、ＦＰＵ基地局からはＴＳＬ装置と呼ばれる固定回線を使って、放送局まで伝送されるのが一般的である。ＦＰＵは、送信制御部、送信高周波部、受信制御部、受信高周波部で構成されるのが一般的であり、送信制御部と送信高周波部とを一体化し小型化した一体化送信部も用いられる。
【０００７】
従来技術の伝送装置について、従来技術の伝送システムの構成例を示すブロック図の図５と、従来技術の送信制御部と受信制御部の構成を示すブロック図の図６と、
従来技術の受信制御部の前面操作パネルを示す模式図の図７と、従来技術の表示部面を示す模式図の図８Ａと図８Ｂを用いて説明する。
【０００８】
従来技術の伝送システムの構成例を示すブロック図の図５において、送信側装置は送信制御部601と送信高周波部801とアンテナ505から構成されており、受信側装置はアンテナ506と受信高周波部901と受信制御部701とから構成されている。送信制御部601は、入力信号である映像信号、音声信号を操作部102で設定したＯＦＤＭ−６４ＱＡＭ方式等の所定の変調モードにより変調部507で変調し、アップコンバータ508で７０ＭＨｚまたは１３０ＭＨｚのＩＦ（Intermediate Frequency：中間周波数）帯に周波数変換する。送信高周波部801は、アップコンバータ509でＩＦ信号を自動レベル調整(Auto Gain Control: ＡＧＣ)した後に操作部102または操作部302で設定した８００ＭＨｚ以上の所定の周波数のＲＦ信号に周波数変換し、電力増幅器510で操作部102または操作部302で設定した所定のレベルまで電力増幅され、アンテナ505から送出される。受信高周波部901は、アンテナ506でＲＦ（Radio Frequency：無線周波数）信号を受信後、ＬＮＡ（Low Noise Amp）511で低雑音増幅し自動レベル調整し、ダウンコンバータ512でＩＦ信号に変換する。そして、受信制御部701は、ＩＦ信号をダウンコンバータ513で自動レベル調整し周波数変換し、復調部514でOFDM-64QAM方式等の所定の復調モードで復調することにより得られた映像信号、音声信号を出力する。送信制御部601と送信高周波部801と受信高周波部901と受信制御部701とは時計付ＣＰＵ605、805、905、705とで制御検知し、表示部603、703、803、903とレベルメータ604、704、804、904とに表示する。そして、送信制御部601の表示部603には、例えば、伝送ビットレート、変調方式、使用するチャンネルを、受信制御部701の表示部703には、例えば、伝送ビットレート、復調方式、使用するチャンネルを表示する。音声信号はシリアルデジタル映像信号の帰線期間に多重されていることが多い。
【０００９】
ここで従来技術の送信制御部と受信制御部の構成を示すブロック図の図６を用いて制御部の詳細動作を説明する。
【００１０】
従来技術の送信制御部と受信制御部の構成を示すブロック図の図６において、送信制御部601の変調部507はＭＰＥＧ２（Moving Picture Experts Group）等で映像信号と音声信号を圧縮しＴＳ（Transport Stream）信号に変換する映像符号化部と変調や誤り訂正等を行う通信路符号化部と直交変調部で構成される。通信路符号化部は伝送中におけるエラーによるデータの誤りを防止するためもので、エネルギー拡散、畳み込み符号化、インターリーブ等の処理を適宜行う。直交変調部は、ＱＡＭやＯＦＤＭの変調波信号を得る。この変調波信号は、アップコンバータ508で７０ＭＨｚまたは１３０ＭＨｚのＩＦ帯に周波数変換し、送信高周波部に送られる。
【００１１】
また時計付CPU605は、たとえば、伝送する映像・音声信号の選択を行い、映像符号化部へは、映像信号及び音声信号のフォーマット選択やＴＳ信号の伝送レートの設定等を行う。また変調部507からのエラー情報を受信することを行う。たとえば、映像符号化部から設定した信号のフォーマットエラー情報等を受信する。これらのエラー情報は時計付CPU605のメモリに記憶される。
【００１２】
一方受信制御部701は、７０ＭＨｚまたは１３０ＭＨｚのＩＦ信号を受け取り、ダウンコンバータ513で自動レベル調整し周波数変換し、復調部514内の直交復調部で復調され、通信路復号化部でデインターリーブやビタビ復号等を行いＴＳ信号を再生し、映像復号化部で映像信号と音声信号を復号化する。
【００１３】
また、受信電界強度、妨害波の有無、ビットエラーレート等の受信状態情報は復調部514から出力され、受信状態情報生成部207にて映像信号化し出力する。
【００１４】
また、送信制御部と受信制御部の表示部603、703はＣＰＵから文字コードもしくはビットマップ情報を受信することで伝送装置の設定情報、あるいは変調部から受信したエラー情報をメモリから読み出し表示する。
【００１５】
従来技術の受信制御部の操作パネルを示す模式図の図7において、操作部702は、電源スイッチ、チャネルスイッチ、変復調スイッチ、プリセットスイッチ等で構成される。周波数チャネルスイッチは伝送する周波数チャネルを設定し、変復調スイッチはＱＡＭ、ＯＦＤＭ等の変調方式を設定し、プリセットスイッチは伝送する映像及び音声等の信号フォーマットや伝送レート設定を予め設定する。
【００１６】
表示部703は、操作部702による設定情報や伝送装置のエラー情報表示を行うものである。
【００１７】
図８は従来技術の表示部面を示す模式図で、（ａ）は設定表示の表示部面であり、チャンネル、変調方式、信号フォーマットの装置の設定を表示している。（ｂ）はエラー表示の表示部面であり、発生時刻とエラー内容の装置エラー情報を表示している。
【００１８】
また、送信制御部の前面パネルの操作部に、チャンネル設定・送信出力切替設定・変調方式設定・伝送レート設定・コーデック設定等用の切替スイッチを設けてあり、これらの設定に対応した変調波を送出する。このとき、いずれかのアラーム・異常を機器内部で検知した場合、警告LED（Light Emitting Diode）で、警告表示する。また、その詳細を、表示部で表示することも行われている（特許文献３参照）。
【特許文献１】特開２００３−１１５７８７号公報
【特許文献２】特開２００５−７３００７号公報
【特許文献３】特開２００６−２５４１３０号公報
【発明の開示】
【発明が解決しようとする課題】
【００１９】
ところで前述の表示部面は、機器の設定情報やエラー監視ログが表示されるが、伝送する映像信号の監視する場合や受信状態情報を監視する場合は、伝送装置とは別に映像モニタを用意し監視する必要があった。また、表示部面は文字による情報のため、例えばエラー情報表示面は、情報量が不足し、状況を解析するのに困難を要する場合があった。
【００２０】
また、伝送する映像信号の監視する場合や受信状態情報を監視する場合は、伝送装置とは別に映像モニタを用意し監視する必要があった。
【００２１】
本発明はこれらの欠点を除去し、不安定な環境下においても、容易に移動中継伝送することができる装置を提供することを目的とする。
【課題を解決するための手段】
【００２２】
本発明は上記目的を達成するために、映像、音声、データなどの信号を構成単位期間で構成されているデジタル変調方式で変調して無線伝送するシステムの伝送装置において、設定情報検出手段と状態情報検出手段と温度検出手段と画像発生手段と画像表示手段とを有し、上記映像と上記音声と上記設定情報と状態情報と伝送装置内温度との少なくとも二つを上記画像発生手段で画像化し重畳し、上記画像表示手段に画像表示することを特徴とする伝送装置である。
【００２３】
また、映像、音声、データなどの信号を構成単位期間で構成されているデジタル変調方式で変調して無線伝送するシステムの伝送装置において、受信状態情報作成手段と設定情報検出手段と状態情報検出手段と温度検出手段と画像発生手段と画像表示手段とを有し、上記受信状態情報を上記画像発生手段で画像化し、上記映像と上記音声と上記設定情報と状態情報と伝送装置内温度との少なくとも一つを上記画像発生手段で画像化し上記受信状態情報と重畳し、上記画像表示手段に画像表示することを特徴とする伝送装置である。
【００２４】
また、上記の伝送装置において、変調方式が直交周波数分割多重方式(ＯＦＤＭ：Orthogonal Frequency Division Multiplexing)または位相振幅変調（ＱＡＭ：Quadrature Amplitude Modulation）方式であることを特徴とする伝送装置である。
【発明の効果】
【００２５】
以上説明したように、本発明に係る伝送装置によると、画像表示により、情報量の多い表示画面を提供することが可能となり、移動中継伝送が容易にすることができる。
【発明を実施するための最良の形態】
【００２６】
以下、本発明の一実施例の装置について、本発明の一実施例の伝送装置を用いた伝送システムを示すブロック図の図１と、本発明の一実施例の送信制御部と受信制御部の構成を示すブロック図の図２と、本発明の一実施例の受信制御部の前面操作パネルを示す模式図の図３と、本発明の一実施例の画像表示部の画像を示す模式図の図４Ａと、本発明の一実施例の画像表示部の画像を示す模式図の図４Ｂを用いて説明する。
【００２７】
本実施例の伝送装置では、送信側装置の場合、伝送システムの構成例を示すブロック図の図１において、送信制御部501の操作部102の各種設定用スイッチ群を操作することで設定したOFDM-64QAM方式等の所定の変調方式・伝送パラメータにより変調部507で変調し、アップコンバータ508で７０ＭＨｚまたは１３０ＭＨｚのＩＦ（Intermediate Frequency：中間周波数）帯に周波数変換する。送信高周波部502は、アップコンバータ509でＩＦ信号を自動レベル調整(Auto Gain Control: ＡＧＣ)した後に操作部102または操作部302で設定した８００ＭＨｚ以上の所定の周波数のＲＦ信号に周波数変換し、電力増幅器510で操作部102または操作部302で設定した所定のレベルまで電力増幅され、アンテナ505から送出される。受信高周波部503は、アンテナ506でＲＦ（Radio Frequency：無線周波数）信号を受信後、ＬＮＡ（Low Noise Amp）511で低雑音増幅し自動レベル調整し、ダウンコンバータ512でＩＦ信号に変換する。そして、受信制御部504は、ＩＦ信号をダウンコンバータ513で自動レベル調整し周波数変換し、操作部202で設定されたＯＦＤＭ−６４ＱＡＭ方式等の所定の復調モードにより復調部514で復調することにより得られた映像信号、音声信号を出力する。送信制御部601と送信高周波部801と受信高周波部901と受信制御部701とは時計付ＣＰＵの105、305、405、205と装置内温度を観測する為の温度センサ106、306、406、206とで状態を検知し制御し、画像表示部103、203とレベル付表示部303、403とに表示する。そして、送信制御部501のレベル付表示部103には、例えば、伝送ビットレート、変調方式、使用するチャンネルを、受信制御部504のレベル付表示部203には、例えば、伝送ビットレート、復調方式、使用するチャンネルを表示する。
【００２８】
ここで本発明の一実施例の送信制御部と受信制御部の構成を示すブロック図の図２を用いて制御部の詳細動作を説明する。
【００２９】
本発明の一実施例の送信制御部と受信制御部の構成を示すブロック図の図２において、送信制御部501の変調部507はＭＰＥＧ２（Moving Picture Experts Group）やＨ．２６４やＪＰＥＧ−ＬＳ（Joint Photographic Experts Group Loss Less）等で映像信号と音声信号を圧縮しＴＳ（Transport Stream）信号に変換する映像符号化部と変調や誤り訂正等を行う通信路符号化部と直交変調部で構成される。通信路符号化部は伝送中におけるエラーによるデータの誤りを防止するためもので、エネルギー拡散、畳み込み符号化、インターリーブ等の処理を適宜行う。直交変調部は、ＱＡＭやＯＦＤＭの変調波信号を得る。この変調波信号は、アップコンバータ508で７０ＭＨｚまたは１３０ＭＨｚのＩＦ帯に周波数変換し、送信高周波部に送られる。
【００３０】
また時計付ＣＰＵＩ105は、たとえば、伝送する映像・音声信号の選択を行い、映像符号化部へは、映像信号及び音声信号のフォーマット選択やＴＳ信号の伝送レートの設定等を行う。また変調部507からのエラー情報を受信することを行う。たとえば、映像符号化部から設定した信号のフォーマットエラー情報等を受信する。これらのエラー情報は時計付ＣＰＵ105のメモリに記憶される。
【００３１】
一方受信制御部201は、７０ＭＨｚまたは１３０ＭＨｚのＩＦ信号を受け取り、ダウンコンバータ513で自動レベル調整し周波数変換し、復調部514内の直交復調部で復調され、通信路復号化部でデインターリーブやビタビ復号等を行いＴＳ信号を再生し、映像復号化部で映像信号と音声信号を復号化する。
【００３２】
また、受信電界強度、妨害波の有無、ビットエラーレート等の受信状態情報は復調部514から出力され、受信状態情報生成部207にて映像信号化し受信状態情報信号として出力する。
【００３３】
また、送信制御部の画像発生部104は、入力した映像音声を画像化して、時計付ＣＰＵ105のメモリから送信装置の設定情報、あるいは変調部507のエラー情報を読み出し文字画像変換し、画像化した映像音声に重畳して画像表示部103に表示する。また、受信制御部のＦＦＴ付受信状態情報作成部207は、ＩＦ信号と復調部514の情報から受信状態情報信号を作成し出力する。画像表示部203は受信状態情報信号と復調した映像音声を画像化して、時計付ＣＰＵ205のメモリから受信装置の設定情報、あるいは復調部514のエラー情報を読み出し文字画像変換し、画像化した映像音声に重畳して画像表示部203に表示する。画像発生部104、204のコントローラは、画像表示部103、204に画像表示を行なう為に映像、音声、情報の画像変換や文字画像変換や画素数変換や重畳表示する機能（以下ＯＳＤとする）等の必要な処理を行なうものである。またコントローラにはメモリが接続されおり、映像、音声、画像、データを記憶している。
【００３４】
上述した文字データと映像データを画像変換し、重畳する機能について本発明の一実施例の送信制御部と受信制御部の構成を示すブロック図の図２と、受信状態情報とエラー情報を時系列に列挙したエラーログを同時に表示した受信機の表示画像例を示す（ａ）受信状態とエラーの表示画像と、受信状態情報と伝送映像信号を同時に表示した受信機の表示画像例を示す（ｂ）受信状態とエラーと受信映像の表示画像との本発明の一実施例の画像表示部の画像を示す模式図の図４とを用いて説明する。
【００３５】
ＦＦＴ付受信状態情報生成部207からの映像信号として受信状態情報を画像発生部204内のメモリに記憶し、エラー情報をＣＰＵ205のメモリから読みだし画像発生部204内のメモリに記憶させる。この際、画像発生部204内のメモリに記憶させる受信状態情報とエラー情報は、例えば各々記憶するアドレスを変更し、記憶箇所を独立させるようにする。例えば読み出すデータをフィールド毎に切り替えることで、図４（ａ）受信状態とエラーの表示画像のような受信状態情報とエラー情報を時系列に列挙したエラーログを同時に表示した受信機の表示画像を生成する。また選択したエラー情報に対応した、受信状態情報を画像発生部204内のメモリから読み出す事で関連した異常時の映像データ表示することもできる。
【００３６】
また、ＦＦＴ付受信状態情報生成部207にて復調映像信号に復調部514からのコンスタレーションや復調部514の入力信号をＦＦＴした周波数スペクトル等の受信状態情報を重畳させ、同時表示の映像信号を作成する。この同時表示の映像信号を画像発生部204内のメモリに記憶させ、読み出すことで図４（ｂ）受信状態とエラーと受信映像の表示画像のようなコンスタレーション受信状態情報と伝送映像信号を同時に表示した受信機の表示画像を生成する。
【００３７】
本発明の一実施例の受信制御部の前面操作パネルを示す模式図の図３において、操作部202は、電源スイッチ、チャネルスイッチ、変復調スイッチ、プリセットスイッチ等で構成される。周波数チャネルスイッチは伝送する周波数チャネルを設定し、変復調スイッチはＱＡＭ、ＯＦＤＭ等の変調方式を設定し、プリセットスイッチは伝送する映像及び音声等の信号フォーマットや伝送レート設定を予め設定する。
【００３８】
本発明は、送信制御部、送信高周波部、受信制御部、受信高周波部の構成における前面操作パネルで説明したが、別の構成おける前面操作パネルでも構わない。具体的には、送信制御部と送信高周波部とが一体化した一体化送信部における前面操作パネルでも確認が容易である。
【図面の簡単な説明】
【００３９】
【図１】本発明の一実施例の伝送装置を用いた伝送システムを示すブロック図
【図２】本発明の一実施例の送信制御部と受信制御部の構成を示すブロック図
【図３】本発明の一実施例の受信制御部の前面操作パネルを示す模式図
【図４】本発明の一実施例の画像表示部の画像を示す模式図（（ａ）受信状態とエラーの表示画像、（ｂ）受信状態とエラーと受信映像の表示画像）
【図５】従来技術の伝送システムの構成を示すブロック図
【図６】従来技術の送信制御部と受信制御部の構成を示すブロック図
【図７】従来技術の受信制御部の前面操作パネルを示す模式図
【図８】従来技術の表示部面を示す模式図（（ａ）設定表示の表示部面、（ｂ）エラー表示の表示部面）
【符号の説明】
【００４０】
102，202，302，402，602，702，802，902：操作部
103，203：画像表示部、303，403：レベル付表示部、104，204：画像発生部、
105，205，305，405：時計付ＣＰＵ、106，206，306，406：温度センサ、
207：ＦＦＴ付受信状態情報生成部、707：受信状態情報生成部
501，601：送信制御部、502，801：送信高周波部、
503，901：受信高周波部、504，701：受信制御部、
505，506：アンテナ、507：変調部、508，509アップコンバータ、510：電力増幅器、
511：ＬＮＡ、512，513：ダウンコンバータ、514：復調部
603、703、803、903：表示部、604、704、804、904：レベルメータ、
【図１】
2010124108.tif 000003
【図２】
2010124108.tif 000004
【図３】
2010124108.tif 000005
【図４】
2010124108.tif 000006
【図５】
2010124108.tif 000007
【図６】
2010124108.tif 000008
【図７】
2010124108.tif 000009
【図８】
2010124108.tif 000010